(57)【要約】【課題】  所望の範囲を移動する対象物の位置を表示することができ、かつ、対象物の表示範囲を容易に変更することができる位置表示装置を提供することを目的とする。【解決手段】  磁石の作用を受けて開閉する磁性素子ＭＥ１〜ＭＥ４と、発光ダイオードＤ１〜Ｄ４と、第１の方向から移動してきた磁石Ｍｇの作用を受けると、開状態又は閉状態になり、第１の方向とは逆方向の第２の方向から移動してきた磁石の作用を受けるまで、前記状態を保ち続ける記憶スイッチＭＲと、発光ダイオードＤ及び磁性素子ＭＥに対応して一列に配置され、一端が対応する磁性素子ＭＥに接続し、磁性素子ＭＥが磁石Ｍｇの作用を受けたときに励磁して、対応する発光ダイオードＤとそれに隣接する発光ダイオードＤを点灯させるリレーＲ１〜Ｒ４とを備える。【選択図】  図１
2007040797.tif 000002
【特許請求の範囲】
【請求項１】
複数の発光素子と、
前記発光素子に対応してそれぞれ配置され、磁石の作用を受けて開閉する複数の磁性素子と、
第１の方向から移動してきた磁石の作用を受けると、開状態又は閉状態になり、前記第１の方向とは逆方向の第２の方向から移動してきた磁石の作用を受けるまで、前記状態を保ち続ける記憶スイッチと、
前記発光素子及び前記磁性素子に対応して一列に配置され、一端が対応する前記磁性素子に接続し、前記磁性素子が磁石の作用を受けたときに励磁して、対応する前記発光素子を点灯させる複数のリレーとを備え、
前記複数の磁性素子は、常時開状態で、磁石の作用を受けて閉状態になる素子であり、常に、１つ以上の前記磁性素子が磁石の作用を受けて作動する間隔でそれぞれ配置され、
前記各リレーは、対応する前記発光素子と接続する常時開状態の第１のスイッチと、隣接するリレーのいずれか一方に接続する常時開状態の第２のスイッチとを有し、接続している前記磁性素子が閉状態になったとき、励磁して、前記第１のスイッチと前記第２のスイッチとを閉状態にし、
前記磁性素子が磁石の作用を受けて作動したときに、前記複数の発光素子のうち、前記磁性素子を介して電流が流れる発光素子が点灯する、
ことを特徴とする位置表示装置。
【請求項２】
複数の発光素子と、
前記発光素子に対応してそれぞれ配置され、磁石の作用を受けて開閉する複数の磁性素子と、
第１の方向から移動してきた磁石の作用を受けると、開状態又は閉状態になり、前記第１の方向とは逆方向の第２の方向から移動してきた磁石の作用を受けるまで、前記状態を保ち続ける記憶スイッチと、
前記発光素子及び前記磁性素子に対応して一列に配置され、一端が対応する前記磁性素子に接続し、前記磁性素子が磁石の作用を受けたときに励磁して、対応する前記発光素子を消灯させる複数のリレーとを備え、
前記複数の磁性素子は、常時開状態で、磁石の作用を受けて閉状態になる素子であり、常に、１つ以上の前記磁性素子が磁石の作用を受けて作動する間隔でそれぞれ配置され、
前記各リレーは、対応する前記発光素子と接続する常時閉状態の第１のスイッチと、隣接するリレーのいずれか一方に接続する常時開状態の第２のスイッチとを有し、接続している前記磁性素子が閉状態になったとき、励磁して、前記第１のスイッチを開状態に、前記第２のスイッチを閉状態にし、
前記磁性素子が磁石の作用を受けて作動したときに、前記複数の発光素子のうち、前記磁性素子を介して電流が遮断される発光素子が消灯する、
ことを特徴とする位置表示装置。
【請求項３】
複数の発光素子と、
前記発光素子に対応してそれぞれ配置され、磁石の作用を受けて開閉する複数の磁性素子と、
第１の方向から移動してきた磁石の作用を受けると、開状態又は閉状態になり、前記第１の方向とは逆方向の第２の方向から移動してきた磁石の作用を受けるまで、前記状態を保ち続ける記憶スイッチと、
前記発光素子及び前記磁性素子に対応して一列に配置され、対応する前記発光素子を点灯させる複数の演算回路とを備え、
前記磁性素子は、磁石の作用を受けたときに、対応する前記演算回路に磁気検出信号を出力し、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、
前記発光素子は、前記点灯信号を入力したときに点灯する、
ことを特徴とする位置表示装置。
【請求項４】
複数の発光素子と、
前記発光素子に対応してそれぞれ配置され、磁石の作用を受けて開閉する複数の磁性素子と、
第１の方向から移動してきた磁石の作用を受けると、開状態又は閉状態になり、前記第１の方向とは逆方向の第２の方向から移動してきた磁石の作用を受けるまで、前記状態を保ち続ける記憶スイッチと、
前記発光素子及び前記磁性素子に対応して一列に配置され、対応する前記発光素子を消灯させる複数の演算回路を備え、
前記磁性素子は、磁石の作用を受けたときに、対応する前記演算回路に磁気検出信号を出力し、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、
前記発光素子は、前記消灯信号を入力したときに消灯する、
ことを特徴とする位置表示装置。
【請求項５】
請求項１〜４のいずれかに記載の位置表示装置において、
前記複数の発光素子は、所定数の発光素子からなる組ごとにそれぞれ色が異なることを特徴とする位置表示装置。
【請求項６】
請求項１〜４のいずれかに記載の位置表示装置において、
前記複数の発光素子は発光ダイオードであることを特徴とする位置表示装置。
【発明の詳細な説明】
【技術分野】
【０００１】
本発明は、磁性素子と発光素子を使用して、対象物の位置を表示する位置表示装置に関するものである。
【背景技術】
【０００２】
従来、磁性素子であるリードスイッチと発光素子を使用して、対象物（ピストン）の位置を表示する位置表示装置が提案されていた（例えば、特許文献１、２）。
【０００３】
特許文献１の位置表示装置は、位置表示のために、それぞれ異なる色を発光する２つの発光ダイオード（ＬＥＤ）と、磁石に応答する２つのリードスイッチとを備えている。２つのリードスイッチは所定の距離ずれた位置に固定されている。磁石が装着されたピストンが所定の範囲内に位置するときは、１つのリードスイッチが閉状態になり、２つのＬＥＤの一方が点灯し、前記ピストンが所定の範囲外に位置するときは、２つのリードスイッチが閉状態になり、他方のＬＥＤが点灯する。これにより、前記ピストンが所定の範囲内にあるか否かで、それぞれ異なる色のＬＥＤを光らせることができる。
【０００４】
また、特許文献２の位置表示装置は、それぞれ異なる色を発光する３つのＬＥＤと、磁石に応答する２つのリードスイッチとを備えている。２つのリードスイッチは所定の距離ずれた位置に固定されている。磁石が装着されたピストンが所定の範囲内に位置するときは、２つのリードスイッチが閉状態になり、前記ピストンが最適範囲にあることを示すＬＥＤが点灯し、所定の範囲外に前記ピストンが位置するときは、２つのリードスイッチのいずれか一方が閉状態になり、ずれた方向に応じてそれぞれ別のＬＥＤが点灯する。これにより、前記ピストンが所定の範囲内にあるか否かで、それぞれ異なる色のＬＥＤを光らせることができる。
【特許文献１】特開２００２−１９５２１４号公報
【特許文献２】特開特開平１０−１１５５０４号公報
【発明の開示】
【発明が解決しようとする課題】
【０００５】
従来の位置表示装置は、対象物が所定の範囲内にあるか否かを、それぞれ異なる色のＬＥＤを光らせることで、表示する回路構成であるため、対象物の位置を表示する範囲が限定されていた。このため、対象物の位置を表示する範囲を変更することも困難であった。
よって、本発明では、所望の範囲を移動する対象物の位置を表示することができ、対象物の表示範囲を容易に変更できる位置表示装置を提供することを目的とする。
【課題を解決するための手段】
【０００６】
本発明の位置表示装置は、複数の発光素子と、前記発光素子に対応してそれぞれ配置され、磁石の作用を受けて開閉する複数の磁性素子と、第１の方向から移動してきた磁石の作用を受けると、開状態又は閉状態になり、第１の方向とは逆方向の第２の方向から移動してきた磁石の作用を受けるまで、前記状態を保つ続ける記憶スイッチと、前記発光素子及び前記磁性素子に対応して一列に配置され、一端が対応する前記磁性素子に接続し、前記磁性素子が磁石の作用を受けたときに励磁して、対応する前記発光素子を点灯させる複数のリレーとを備え、前記複数の磁性素子が、常時開状態で、磁石の作用を受けて閉状態になる素子であり、常に、１つ以上の磁性素子が磁石の作用を受ける間隔でそれぞれ配置され、前記各リレーが、対応する前記発光素子と接続する常時開状態の第１のスイッチと、隣接するリレーのいずれか一方に接続する常時開状態の第２のスイッチとを有し、接続している前記磁性素子が閉状態になったとき、励磁して、前記第１のスイッチと前記第２のスイッチとを閉状態にし、前記磁性素子が磁石の作用を受けて作動したときに、前記複数の発光素子のうち、前記磁性素子を介して電流が流れる発光素子が点灯することを特徴とする。これにより、前記磁性素子が作動したときに、前記リレーのスイッチを介して電流が流れる前記発光素子が点灯して、磁石の位置を表示することができる。
【０００７】
また、本発明の位置表示装置は、前記複数の発光素子と、前記複数の磁性素子と、前記記憶スイッチと、前記発光素子及び前記磁性素子に対応して一列に配置され、一端が対応する前記磁性素子に接続し、前記磁性素子が磁石の作用を受けたときに励磁して、対応する前記発光素子を消灯させる複数のリレーとを備え、前記複数の磁性素子が、常時開状態で、磁石の作用を受けて閉状態になる素子であり、常に、１つ以上の磁性素子が磁石の作用を受ける間隔でそれぞれ配置され、前記各リレーが、対応する前記発光素子と接続する常時閉状態の第１のスイッチと、隣接するリレーのいずれか一方に接続する常時開状態の第２のスイッチとを有し、接続している前記磁性素子が閉状態になったとき、励磁して、前記第１のスイッチを開状態に、前記第２のスイッチを閉状態にし、前記磁性素子が磁石の作用を受けて作動したときに、前記複数の発光素子のうち、前記磁性素子を介して電流が遮断される発光素子が消灯することを特徴とする。これにより、前記磁性素子が作動したときに、前記リレーのスイッチを介して電流が遮断される前記発光素子が消灯して、磁石の位置を表示することができる。
【０００８】
また、本発明の位置表示装置は、前記複数の発光素子と、前記複数の磁性素子と、前記記憶スイッチと、前記発光素子及び前記磁性素子に対応して一列に配置され、対応する前記発光素子を点灯させる複数の演算回路とを備え、前記磁性素子は、磁石の作用を受けたときに、対応する前記演算回路に磁気検出信号を出力し、前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、前記発光素子は、前記点灯信号を入力したときに点灯することを特徴とする。これにより、前記磁石の磁気を検出した位置から後段の表示回路の発光素子を演算回路によって点灯することができる。
【０００９】
また、本発明の位置表示装置は、前記複数の発光素子と、前記複数の磁性素子と、前記記憶スイッチと、前記発光素子及び前記磁性素子に対応して一列に配置され、対応する前記発光素子を消灯させる複数の演算回路とを備え、前記磁性素子が、磁石の作用を受けたときに、対応する前記演算回路に磁気検出信号を出力し、前記各演算回路が、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、前記発光素子が、前記消灯信号を入力したときに消灯することを特徴とする。これにより、前記磁石の磁気を検出した位置から後段の表示回路の発光素子を演算回路によって消灯することができる。
【００１０】
また、本発明の位置表示装置は、前記複数の発光素子が、所定数の発光素子からなる組ごとにそれぞれ色が異なるようにすることを特徴とする。
【００１１】
また、本発明の位置表示装置は、前記複数の発光素子が発光ダイオードであることを特徴とする。
【発明の効果】
【００１２】
また、本発明の位置表示装置は、複数の発光素子と、前記発光素子に対応してそれぞれ配置され、磁石の作用を受けて開閉する複数の磁性素子と、第１の方向から移動してきた磁石の作用を受けると、開状態又は閉状態になり、第１の方向とは逆方向の第２の方向から移動してきた磁石の作用を受けるまで、前記状態を保つ続ける記憶スイッチと、前記発光素子及び前記磁性素子に対応して一列に配置され、一端が対応する前記磁性素子に接続し、接続する前記磁性素子が磁石の作用を受けたときに励磁する複数のリレーとを備え、このリレーにより、発光素子を点灯制御又は消灯制御するようにした。これにより、対象物に磁石を取り付けるだけで、所望の範囲を移動する対象物を、各リレーにかかる負荷が発光素子１個分で、検出、表示することができる。また、対象物の位置を検出する位置検出回路と、対象物の位置を表示する位置表示回路とを分けることができ、これらの回路の相対位置を自由に設定することができる。さらに、記憶スイッチを備えることで、磁性素子が作用する範囲から磁石Ｍｇが外れても、発光素子が誤って点灯することがないので、誤表示を防ぐことができる。
【００１３】
また、本発明の位置表示装置によれば、前記リレーに代えて、前記発光素子及び前記磁性素子に対応して一列に配置され、対応する前記発光素子を点灯制御又は消灯制御する複数の演算回路を備えるようにした。これにより、演算回路を構成する論理回路を変えるだけで、発光素子を点灯制御するか、又は消灯制御するかを容易に切り替えることができる。
【００１４】
また、本発明の位置表示装置によれば、前記複数の発光素子は、所定数の発光素子からなる組ごとにそれぞれ色が異なるようにしたことから、対象物の表示範囲を色分けすることができる。
【００１５】
また、本発明の位置表示装置によれば、前記複数の発光素子は発光ダイオードであることから、対象物の位置を、省電力で明確に表示することができる。
【発明を実施するための最良の形態】
【００１６】
以下、本発明の実施の形態について、図面を参照しながら説明する。
（実施の形態１）
図１は、本実施の形態１に係る位置表示装置の回路構成例を示す図である。本実施の形態１に係る位置表示装置は、発光ダイオードＤ１〜Ｄ４と、常時開状態の磁性素子ＭＥ１〜ＭＥ４と、発光ダイオードＤ及び磁性素子ＭＥに対応して一列に配置される複数のリレー（リレーＲ１〜Ｒ４）と、記憶スイッチＭＲとを備える。発光ダイオードＤはそれぞれ第１の電源ラインと第２の電源ラインに並列に接続され、はしご状に配列される。磁性素子ＭＥ１〜ＭＥ４はそれぞれ第３の電源ラインと第４の電源ラインとに並列に接続され、はしご状に配列される。リレーＲ１〜Ｒ４はそれぞれ、一端が磁性素子ＭＥに接続し、接続する磁性素子ＭＥが閉状態になったときに励磁して発光ダイオードＤ１〜Ｄ４を点灯制御する。記憶スイッチＭＲは第４の電源ラインに接続される。
【００１７】
発光素子は、磁性素子ＭＥと組で必要数が一列に配置される。発光素子の色は、任意に変えるようにしても良い。例えば、所定数の発光素子からなる組ごとに色を変えることで、磁石Ｍｇが移動する表示範囲を色分けすることができる。図１では、発光素子として、発光ダイオード（ＬＥＤ）を使用し、４つの発光ダイオードＤを電源ラインに接続する場合について示しているが、発光ダイオードＤの数は、４つに限られるものではなく、必要な数だけ電源ラインに接続される。また、発光素子は発光ダイオードＤに限るものではなく、エレクトロルミネッセンス（ＥＬ）でも良い。
【００１８】
磁性素子ＭＥ１〜ＭＥ４は、常時開状態で、磁石Ｍｇの作用を受けて閉状態になる素子である。各磁性素子ＭＥは、常に、１つ以上の磁性素子ＭＥが磁石Ｍｇの作用を受けて作動する間隔で配置されている。なお、図１では、４つの磁性素子ＭＥを電源ラインに接続する場合について示しているが、磁性素子ＭＥの数は、４つに限られるものではなく、必要な数だけ電源ラインに接続される。磁性素子ＭＥとしては、磁気スイッチ、リードスイッチ、ホール素子、ホールＩＣ、又はその他の磁気検出素子が挙げられる。
【００１９】
記憶スイッチＭＲは磁石Ｍｇの移動方向を記憶するスイッチである。具体的には、第１の方向に移動する磁石Ｍｇの作用を受けると、開状態又は閉状態になり、第１の方向とは逆方向の第２の方向に移動する磁石Ｍｇの作用を受けるまで、前記状態を保ち続けることで、磁石Ｍｇの移動方向を記憶する。図１において、記憶スイッチＭＲは、磁性素子ＭＥ４とほぼ同時に磁石の作用を受けて作動する位置に接続される。これにより、磁石Ｍｇが磁性素子ＭＥ４を超えて移動したときに、全ての発光ダイオードＤが消灯するのを防ぐことができる。以上のような動作をする記憶スイッチＭＲとしては、例えば、リードスイッチが挙げられる（株式会社エヌエーのウェブサイト、http：//www.na-web.co.jp/products/rs/pr-01-16-htmlを参照，2005年6月検索）。
【００２０】
リレーＲは、リレースイッチＲ’とリレースイッチＲ’’とを備える。リレースイッチＲ’は、常時開状態で、第１の電源ラインと第２の電源ラインとの間に並列に接続される。リレースイッチＲ’’は、常時開状態で、一端が電源側に隣接するリレーＲに、他端が第４の電源ラインに接続される。各リレーＲは、一端に接続している磁性素子ＭＥが閉状態になったときに励磁して、リレースイッチＲ’とリレースイッチＲ’’を閉状態にする。これにより、各リレーＲは、発光ダイオード１個分の負荷で、リレースイッチＲ’に接続している発光ダイオードＤと、隣接するリレーＲのリレースイッチＲ’に接続している発光ダイオードＤとを点灯させることができる。
【００２１】
以上のように構成される位置表示装置の動作について説明する。まず、磁石Ｍｇが電源の位置からＡ方向に移動すると、磁性素子ＭＥ１が閉状態になり、リレーＲ１が励磁し、リレースイッチＲ１’が閉状態になる。これにより、発光ダイオードＤ１に電流が流れ、発光ダイオードＤ１が点灯する。さらに、磁石ＭｇがＡ方向に移動すると、磁性素子ＭＥ２が閉状態になり、リレーＲ２が励磁し、リレースイッチＲ２’が閉状態になるので、発光ダイオードＤ２が点灯する。このとき、リレースイッチＲ２’’も閉状態になるので、リレーＲ１が励磁し、発光ダイオードＤ１が点灯する。さらに、磁石ＭｇがＡ方向に移動すると、磁性素子ＭＥ３が閉状態になり、リレーＲ３が励磁し、リレースイッチＲ３’が閉状態になるので、発光ダイオードＤ３が点灯する。このとき、リレースイッチＲ３’’も閉状態になるので、リレーＲ２が励磁し、発光ダイオードＤ２が点灯する。また、リレーＲ２が励磁することで、リレースイッチＲ２’’も閉状態になり、リレーＲ１が励磁するので、発光ダイオードＤ１が点灯する。さらに、磁石ＭｇがＡ方向に移動すると、記憶スイッチＭＲと磁性素子ＭＥ４がほぼ同時に作動して閉状態になり、発光ダイオードＤ１〜Ｄ４が点灯する。記憶スイッチＭＲは、Ｂ方向に移動する磁石Ｍｇの作用を受けるまで、閉状態を保つ。このように、電源から最も遠い磁性素子ＭＥ４に並列に記憶スイッチＭＲを接続することで、磁石Ｍｇが磁性素子ＭＥ４よりさらにＡ方向に移動しても、記憶スイッチＭＲが閉状態であるので、リレーＲ４が励磁し、発光ダイオードＤ１〜Ｄ４が点灯する。以上のようにして、磁石Ｍｇの位置から電源までの発光ダイオードＤを点灯させることで、磁石Ｍｇの位置を表示することができる。
【００２２】
同様に、磁石ＭｇがＢ方向に移動するときも、磁石Ｍｇの位置から電源までの発光ダイオードＤが点灯して、磁石Ｍｇの位置を表示することができる。
以上のように構成される実施の形態１に係る位置表示装置を水面計に適用した場合について、図５〜７を用いて説明する。
【００２３】
図５は水面計を上から見た図であり、図６は水面計の側面図であり、図７は水面計の正面図である。図５〜７に示すように、水面計は、ボイラ等から連結管を通して水を導入すると、フロート１が上下する。このフロート１には磁石２が取り付けられている。この磁石２の移動に応じて、指示器ケース３に封入された発光ダイオード（ＬＥＤ）４が点灯する。ＬＥＤ４は、磁性素子５と共に、図１に示すように基板６に必要数が配置される。磁性素子５が磁石２の作用を受けて作動することで電源から電流が流れるＬＥＤ４が点灯する。すなわち、磁石Ｍｇの位置までのＬＥＤ４が点灯する。さらに、基板６に磁石２の移動方向を記憶する記憶スイッチ（図示せず）を設ける。記憶スイッチは、基板６の最上部の磁性素子とほぼ同時に磁石の作用を受けて作動する位置に設けられる。これにより、磁石Ｍｇが最上部の磁性素子５を超えて作用範囲から外れたとき、全てのＬＥＤ４が消灯することを防ぐことができる。以上のような構成により、ボイラ等の水位をＬＥＤ４により明確に表示することができる。
【００２４】
なお、ＬＥＤ４の色の組み合せは任意に変えるようにしても良い。例えば、所定数のＬＥＤ毎に色を変えることで、水位の警告ラインと安全ラインを色分けして表示することができる。
【００２５】
以上のように、本実施の形態１に係る位置表示装置は、第１の電源ラインと第２の電源ラインとに並列に接続される発光ダイオードＤ１〜Ｄ４と、第３の電源ラインと第４の電源ラインに並列に接続される磁性素子ＭＥと、一端が磁性素子ＭＥに接続し、接続する磁性素子ＭＥが磁石の作用を受けると励磁するリレーＲ１〜Ｒ４と、記憶スイッチＭＲとを備えるようにした。さらに、各リレーＲが、発光ダイオードＤと直列に接続するリレースイッチＲ’と、電源側に隣接するリレーＲと接続するリレースイッチＲ’’とを備えるようにした。そして、磁性素子ＭＥが磁石の作用を受けたとき、リレーＲが励磁して、リレースイッチＲ’とリレースイッチＲ’’を開状態にするようにした。
【００２６】
これにより、本実施の形態１に係る位置表示装置によれば、各リレーにかかる負荷が発光ダイオード１個分で、磁石Ｍｇの位置から電源側にある発光ダイオードＤを全て点灯させることができる。また、対象物の位置を検出する位置検出回路と、対象物の位置を表示する位置表示回路とを分けることができ、これらの回路の相対位置を自由に設定することができる。さらに、記憶スイッチＭＲを備えることで、磁性素子が作用する範囲から磁石Ｍｇが外れても、発光素子が誤って点灯することがないので、誤表示を防ぐことができる。
【００２７】
なお、実施の形態１では、各磁性素子ＭＥを、常に、１つ以上の磁性素子ＭＥが磁石Ｍｇによって作動する間隔で配置する場合について説明したが、本発明はこれに限るものではなく、磁性素子ＭＥの間隔を任意に設定し、その間隔に応じて磁石Ｍｇの強さを選定し、常に、１つ以上の磁性素子ＭＥが磁石Ｍｇの作用によって作動するようにしても良い。
【００２８】
また、磁性素子ＭＥとして、リードスイッチを用いる場合は、磁石の磁界の向きと平行にリードスイッチを整列させることで、リードスイッチを正確に作動させることができる。
【００２９】
また、本発明の位置表示装置は、水面計のみに適用されるものではなく、空気圧や油圧で所定の範囲を移動するピストンの位置を表示する装置に適用することでも良い。
【００３０】
（実施の形態２）
本実施の形態２に係る位置表示装置について図２を用いて説明する。図２は、本実施の形態２に係る位置表示装置の回路構成例を示す図である。前記実施の形態１に係る位置表示装置は、磁石の位置から電源までの発光ダイオードＤをリレーＲによって点灯させる構成であったが、本実施の形態２に係る位置表示装置は、磁石Ｍｇの位置から電源側と反対側の発光ダイオードＤをリレーＲによって消灯させる構成である。
【００３１】
リレーＲは、第１の電源ラインと第２の電源ラインに並列に接続される常時閉状態のリレースイッチＲ’と、電源側とは反対側に隣接するリレーを励磁する常時開状態のリレースイッチＲ’’とを備える。各リレーＲは、一端に接続する磁性素子ＭＥが閉状態になったとき、リレースイッチＲ’を開状態にし、リレースイッチＲ’’を閉状態にする。これにより、各リレーＲは、発光ダイオード１個分の負荷で、リレースイッチＲ’に接続する発光ダイオードＤと、電源側と反対側に隣接するリレーＲのリレースイッチＲ’に接続する発光ダイオードＤとを消灯させることができる。
【００３２】
記憶スイッチＭＲは、磁性素子ＭＥ１とほぼ同時に磁石Ｍｇの作用する位置に接続される。
以上のように構成される位置表示装置の動作について説明する。まず、磁石Ｍｇが電源の位置からＡ方向に移動すると、磁性素子ＭＥ１と記憶スイッチＭＲがほぼ同時に磁石Ｍｇの作用を受けて、磁性素子ＭＥ１は閉状態に、記憶スイッチＭＲは開状態になる。記憶スイッチＭＲはＢ方向に移動する磁石Ｍｇの作用を受けるまで開状態を保つ。磁性素子ＭＥ１が閉状態になると、リレーＲ１が励磁して、リレースイッチＲ１’が開状態になり発光ダイオードＤ１が消灯する。このとき、リレーＲ１のリレースイッチＲ１’’が閉状態になり、リレーＲ２が励磁する。リレーＲ２が励磁すると、リレーＲ２のリレースイッチＲ２’が開状態になり、発光ダイオードＤ２が消灯する。また、リレーＲ２が励磁することで、リレーＲ３が励磁し、発光ダイオードＤ３が消灯する。以上のようにして、リレーＲ１が励磁することで、リレーＲ２〜Ｒ４が励磁するので、発光ダイオードＤ２〜Ｄ４も消灯する。さらに、磁石ＭｇがＡ方向に移動して、磁性素子ＭＥ１が磁石Ｍｇの作用を受けなくなり開状態になると、リレースイッチＲ’が閉状態になり、発光ダイオードＤ１が点灯する。一方、磁性素子ＭＥ２は磁石Ｍｇの作用を受けるので、リレーＲ２が励磁し、リレースイッチＲ２’が開状態になる。このとき、リレースイッチＲ２’’が閉状態になり、リレーＲ３が励磁するので、リレースイッチＲ３’が開状態になる。また、リレーＲ４も励磁して、リレースイッチＲ４’が開状態になる。これにより、発光ダイオードＤ２〜Ｄ４が消灯する。さらに、磁石ＭｇがＡ方向に移動して、磁性素子Ｍ３が磁石Ｍｇの作用を受けると、リレーＲ３及びＲ４が励磁して、発光ダイオードＤ３及びＤ４が消灯する。一方、リレーＲ１及びＲ２は励磁しないので、発光ダイオードＤ１及びＤ２は点灯する。以上のようにして、磁石Ｍｇの位置から電源側と反対側に隣接する発光ダイオードＤを消灯させることで、磁石Ｍｇの位置を表示する。
【００３３】
同様に、磁石ＭｇがＢ方向に移動するときも、磁石Ｍｇの位置から電源側と反対側にある発光ダイオードＤを消灯させることで、磁石Ｍｇの位置を表示する。Ｂ方向に移動する磁石Ｍｇの作用を受けると、記憶スイッチＭＲは、閉状態になり、Ａ方向に移動する磁石Ｍｇの作用を受けるまで、閉状態を保つ。これにより、磁石Ｍｇが磁性素子ＭＥ１より電源側に移動したときに、リレーＲ１〜Ｒ４が励磁して、発光ダイオードＤ１〜Ｄ４が消灯する。
【００３４】
以上のような本実施の形態２に係る位置表示装置を、図５〜図７に示すように、水面計に適用するようにしても良い。この場合、図２に示すように、ＬＥＤ４、磁性素子５、及びＬＥＤ４を消灯制御するリレーを、基板６に必要な数だけ配置する。さらに、記憶スイッチを、基板６の最下部の磁性素子とほぼ同時に磁石２の作用を受ける位置に設ける。以上のような構成により、ボイラ等の水位をＬＥＤ４により明確に表示することができる。
【００３５】
以上のように、本実施の形態２に係る位置表示装置は、各リレーＲが、発光ダイオードＤと直列に接続するリレースイッチＲ’と、電源側と反対側に隣接するリレーＲと接続するリレースイッチＲ’’とを備えるようにした。そして、磁性素子ＭＥが磁石の作用を受けたとき、リレーＲが励磁して、リレースイッチＲ’を開状態に、リレースイッチＲ’’を閉状態にするようにした。
【００３６】
これにより、本実施の形態２に係る位置表示装置によれば、各リレーにかかる負荷が発光ダイオード１個分で、磁石の位置から電源側と反対側にある発光ダイオードＤを全て消灯させることができる。
【００３７】
（実施の形態３）
本実施の形態３に係る位置表示装置について図３を用いて説明する。図３は、本実施の形態３に係る位置表示装置の回路構成例を示す図である。前記実施の形態１、２に係る位置表示装置は、リレーＲによって、発光ダイオードＤを点灯制御又は消灯制御していたが、本実施の形態３に係る位置表示装置は、リレーＲに代えて、演算回路で発光ダイオードＤを点灯制御する。
【００３８】
本実施の形態３に係る位置表示装置は、外部の磁気を検出する磁性素子３１ａ〜３１ｃと、演算回路３２ａ〜３２ｃと、表示回路３３ａ〜３３ｃと、演算回路３２ａに接続する記憶スイッチＭＲとを有し、外部の磁気を検出した位置から後段に存在する表示回路の発光素子を点灯する。図３において、位置表示装置は、磁石Ｍｇの位置からＡ方向に存在する表示回路の発光素子を点灯させる構成である。なお、図３では、磁性素子、演算回路、及び表示回路の数はそれぞれ３つであるが、これらの数は３つに限られるものではなく、それぞれが必要な数だけ配置される。また、磁性素子、演算回路、及び表示回路は、これらの回路を駆動するための電源（図示せず）と接続されている。
【００３９】
磁性素子３１ａ〜３１ｃは、外部の磁気を検出して磁気検出信号を出力する。具体的には、外部の磁気、例えば磁石Ｍｇの磁気を検出すると、論理値「０」の信号を磁気検出信号として出力する。一方、磁気を検出していないときは、論理値「１」の信号を出力する。磁性素子としては、磁気スイッチ、ホール素子、ホールＩＣ、その他の磁気検出素子が挙げられる。磁性素子として磁気スイッチやリードスイッチを使用する場合、常時閉状態のものを使用することで、磁気検出時に磁性素子が論理値「０」の磁気検出信号を出力する構成となる。
【００４０】
演算回路３２ａ〜３２ｃは、ＮＯＴ回路とＯＲ回路からなり、磁性素子の出力信号と前段の演算回路の出力信号を入力して演算する。具体的には、ＮＯＴ回路が磁性素子からの信号の論理値を反転させ、その反転した論理値をＯＲ回路が入力する。ＯＲ回路はＮＯＴ回路が反転した論理値と前段の演算回路から入力した信号の論理値を演算する。そして、いずれか一方の入力が「１」のとき、論理値「１」の表示信号を点灯信号として表示回路に出力し、さらに、論理値「１」の信号を磁気検出伝達信号として後段の演算回路に出力する。すなわち、磁性素子から論理値「０」の磁気検出信号を入力したとき、又は各演算回路が磁気検出信号を入力したときに出力する論理値「１」の磁気検出伝達信号を前段の演算回路から入力したとき、表示回路に点灯信号を、後段の演算回路に磁気検出伝達信号を出力する。なお、演算回路はＮＯＴ回路及びＯＲ回路から構成するものに限らず、他の論理回路で構成することでも良い。
【００４１】
表示回路３３ａ〜３３ｃは、発光素子を有し、演算回路から点灯信号を入力したときに、発光素子を点灯する。発光素子としては、ＬＥＤやＥＬが挙げられる。
【００４２】
記憶スイッチＭＲは、Ａ方向に移動する磁石Ｍｇの作用を受けると、開状態になり、Ｂ方向に移動する磁石Ｍｇの作用を受けるまでその状態を保つ。
【００４３】
以上のように構成される位置表示装置の動作について、磁性素子３１ｂが磁石Ｍｇの磁気を検出した場合を例に挙げ説明する。磁性素子３１ｂは磁石Ｍｇの磁気を検出すると、論理値「０」の磁気検出信号を演算回路３２ｂに出力する。演算回路３２ｂは、ＮＯＴ回路で論理値「０」を反転し、ＯＲ回路の入力を論理値「１」とする。このとき、ＯＲ回路は、前段の演算回路３２ａから論理値「０」の信号を入力する。これは、記憶スイッチＭＲが開状態であり、磁気素子３１ａが磁気を検出していないことから、演算回路３２ａのＯＲ回路の入力は共に「０」になり、演算回路３２ａが後段の演算回路３２ｂに出力する信号の論理値が「０」になるからである。以上のように、演算回路３２ｂのＯＲ回路は、２入力のうちの１入力が論理値「１」になるので、論理値「１」を示す表示信号を点灯信号として表示回路３３ｂに出力する。表示回路３３ｂは点灯信号を入力して発光素子を点灯する。さらに、演算回路３２ｂは、論理値「１」の磁気検出伝達信号を後段の演算回路３２ｃに出力する。これにより、演算回路３１ｃは２入力のうちの１入力が論理値「１」になるので、点灯信号を表示回路３３ｃに出力する。表示回路３３ｃは点灯信号を入力して発光素子を点灯する。一方、演算回路３２ａは上述したように、２入力が共に「０」になるので、論理値「０」の表示信号を出力する。これにより、表示回路３３ａの発光素子は点灯しない。
【００４４】
以上のように、位置表示装置は、磁石Ｍｇの位置から後段に存在する表示回路の発光素子を点灯させる構成であるので、磁性素子３１ａが磁気を検出したときは、表示回路３３ａ〜３３ｃの発光素子が点灯し、磁性素子３１ｂが磁気を検出したときは、表示回路３３ｂ及び３３ｃの発光素子が点灯し、磁性素子３１ｃが磁気を検出したときは、表示回路３３ｃの発光素子が点灯する。
【００４５】
なお、Ｂ方向に移動する磁石Ｍｇの作用を記憶スイッチＭＲが受けると、記憶スイッチＭＲは閉状態になる。その後、記憶スイッチＭＲは、Ａ方向に移動する磁石Ｍｇの作用を受けるまで、閉状態を保つ。これにより、磁石Ｍｇが磁性素子の作用範囲から外れても、表示回路３３ａ〜３３ｃが消灯することがないので、誤表示を防ぐことができる。
【００４６】
以上のような本実施の形態３に係る位置表示装置を、図５〜図７に示すように、水面計に適用するようにしても良い。この場合、図３に示すように、ＬＥＤ４、磁性素子５、ＬＥＤ４を点灯制御する演算回路、及び記憶スイッチを基板６に必要数配置する。以上のような構成により、ボイラ等の水位をＬＥＤ４により明確に表示することができる。
【００４７】
以上のように、本実施の形態３に係る位置表示装置は、磁石Ｍｇの磁気を検出して磁気検出信号を出力する複数の磁性素子と、発光素子を有する複数の表示回路と、発光素子を点灯制御する演算回路とを備えるようにした。
【００４８】
これにより、本実施の形態３に係る位置表示装置によれば、磁石Ｍｇの移動に応じて、演算回路によって発光素子を点灯制御することができるので、位置表示をする対象物に磁石Ｍｇを取り付けることで、所望の範囲内で移動する対象物の位置を検出、表示することができる。さらに、記憶スイッチＭＲを備えることで、磁石Ｍｇが磁性素子の作用範囲から外れても、誤表示することがない。また、磁性素子、演算回路、及び表示回路の組の数を変更するだけで、容易に位置表示の範囲を変更することができる。
【００４９】
（実施の形態４）
本実施の形態４に係る位置表示装置について図４を用いて説明する。実施の形態３に係る位置表示装置では、演算回路によって表示回路の発光素子を点灯制御する構成であったが、本実施の形態４に係る位置表示装置では、演算回路によって表示回路の発光素子を消灯制御する構成である。本実施の形態４に係る位置表示装置は、磁気を検出した位置から後段に存在する表示回路の発光素子を消灯する。図４においては、磁石Ｍｇの位置からＡ方向に存在する表示回路の発光素子を消灯する。
【００５０】
本実施の形態４に係る位置表示装置は、実施の形態３に係る位置表示装置に対して、演算回路の構成及び動作と、記憶スイッチＭＲの動作が異なる。
【００５１】
演算回路４２ａ〜４２ｃはＡＮＤ回路から構成される。このＡＮＤ回路からなる演算回路は、磁性素子から論理値「０」の磁気検出信号を入力したとき、又は各演算回路が磁気検出信号を入力したときに出力する論理値「０」の磁気検出伝達信号を前段の演算回路から入力したとき、論理値「０」の表示信号を消灯信号として表示回路に出力し、発光素子を消灯させる。このとき、さらに、後段の演算回路に、論理値「０」の信号を磁気検出伝達信号として出力する。
【００５２】
記憶スイッチＭＲは、Ａ方向に移動する磁石Ｍｇの作用を受けて閉状態になり、Ｂ方向に移動する磁石Ｍｇの作用を受けるまで、その状態を保つ。
【００５３】
以上のように構成される位置表示装置の動作について、磁性素子３１ｂが磁石Ｍｇの磁気を検出した場合を例に挙げ説明する。磁性素子３１ｂは磁気を検出すると、論理値「０」の磁気検出信号を演算回路４２ｂに出力する。演算回路４２ｂは磁気検出信号と共に、論理値「１」の信号を前段の演算回路４２ａから入力する。これは、記憶スイッチＭＲが閉状態であり、磁性素子３１ａが磁石の磁気を検出していないので、演算回路４２ａの２入力が共に「１」になり、演算回路４２ａが論理値「１」の信号を出力するからである。以上のように、演算回路４２ｂは２入力のうちの１つの入力が論理値「０」になるので、論理値「０」の表示信号を消灯信号として表示回路３３ｂに出力する。表示回路３３ｂは消灯信号を入力して発光素子を消灯する。このとき、さらに、演算回路４２ｂは後段の演算回路４２ｃに論理値「０」の磁気検出伝達信号を出力するので、演算回路４２ｃは消灯信号を表示回路３３ｃに出力する。表示回路３３ｃは消灯信号を入力して発光素子を消灯する。一方、演算回路４２ａは、上述したように、２入力とも論理値「１」であるので、論理値「１」の表示信号を表示回路３３ａに出力する。表示回路３３ａは表示信号を入力して発光素子を点灯する。
【００５４】
以上のように、位置表示装置は、磁石Ｍｇの位置から後段に存在する表示回路の発光素子を消灯させる構成であるので、磁性素子３１ａが磁気を検出したときは、表示回路３３ａ〜３３ｃの発光素子が消灯し、磁性素子３１ｂが磁気を検出したときは、表示回路３３ｂ及び３３ｃの発光素子が消灯し、磁性素子３１ｃが磁気を検出したときは、表示回路３３ｃの発光素子が消灯する。
【００５５】
なお、Ｂ方向に移動する磁石Ｍｇの作用を記憶スイッチＭＲが受けると、記憶スイッチＭＲは開状態になる。その後、記憶スイッチＭＲは、Ａ方向に移動する磁石Ｍｇの作用を受けるまで、開状態を保つ。これにより、磁石Ｍｇが磁性素子の作用範囲から外れたときに、表示回路３３ａ〜３３ｃが点灯することがないので、誤表示を防ぐことができる。
【００５６】
以上のような本実施の形態４に係る位置表示装置を、図５〜図７に示すように、水面計に適用するようにしてもよい。この場合、図４に示すように、ＬＥＤ４、磁性素子５、ＬＥＤ４を消灯制御する演算回路、及び記憶スイッチを基板６に必要数配置する。以上のような構成により、ボイラ等の水位をＬＥＤ４により明確に表示することができる。
【００５７】
以上のように、本実施の形態４に係る位置表示装置は、磁石Ｍｇの磁気を検出して磁気検出信号を出力する複数の磁性素子と、発光素子を有する複数の表示回路と、発光素子を消灯制御する演算回路とを備えるようにした。
【００５８】
これにより、本実施の形態４に係る位置表示装置によれば、磁石Ｍｇの移動に応じて、演算回路によって発光素子を消灯制御することができるので、位置表示をする対象物に磁石Ｍｇを取り付けることで、所望の範囲内で移動する対象物の位置を検出、表示できる。また、演算回路によって発光素子を制御することから、内部の論理回路の構成を変えるだけで、発光素子を消灯制御するものから、例えば、実施の形態３に係る位置表示装置のように点灯制御するものに容易に切り替えることができる。
【産業上の利用可能性】
【００５９】
本発明は、所望の範囲を移動する対象物、例えば、水面計や液面計のフロートの位置や、空気圧や油圧で移動するピストンの位置を検出して、表示する位置表示装置として有用である。
【図面の簡単な説明】
【００６０】
【図１】本発明の実施の形態１に係る位置表示装置の回路構成例を示す図である。
【図２】本発明の実施の形態２に係る位置表示装置の回路構成例を示す図である。
【図３】本発明の実施の形態３に係る位置表示装置の回路構成例を示す図である。
【図４】本発明の実施の形態４に係る位置表示装置の回路構成例を示す図である。
【図５】本発明の位置表示装置を適用した水面計を上から見た図である。
【図６】本発明の位置表示装置を適用した水面計の側面図である。
【図７】本発明の位置表示装置を適用した水面計の正面図である。
【符号の説明】
【００６１】
１  フロート
２  磁石
３  指示器ケース
４  ＬＥＤ
５  磁性素子
６  基板
７  記憶スイッチ
８  電源部
Ｄ  発光ダイオード
Ｍｇ  磁石
ＭＲ  記憶スイッチ
ＭＥ  磁性素子
Ｒ  リレー
Ｒ’，Ｒ’’  リレースイッチ
ＲＤ  整流ダイオード
３１ａ〜３１ｃ  磁性素子
３２ａ〜３２ｃ，４２ａ〜４２ｃ  演算回路
３３ａ〜３３ｃ  表示回路
【図１】
2007040797.tif 000003
【図２】
2007040797.tif 000004
【図３】
2007040797.tif 000005
【図４】
2007040797.tif 000006
【図５】
2007040797.tif 000007
【図６】
2007040797.tif 000008
【図７】
2007040797.tif 000009
【手続補正書】
【提出日】平成17年12月9日(2005.12.9)
【手続補正１】
【補正対象書類名】特許請求の範囲
【補正対象項目名】請求項１
【補正方法】変更
【補正の内容】
【請求項１】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を点灯させる複数のリレーと、
一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、
前記複数の磁性素子は、常時開状態で、磁石の作用を受けて閉状態になる素子であり、常に、移動する磁石の最寄の磁性素子及び周辺の磁性素子のみが磁石の作用を受けて作動する間隔でそれぞれ配置され、
前記複数のリレーのうちの、該複数の発光素子の列の最も他端側に位置する他端側リレーは、その一端が対応する磁性素子に接続され、その常時開状態の第１リレースイッチが対応する発光素子に接続され、接続している前記磁性素子が閉状態になったとき、励磁して、前記第１のリレースイッチを閉状態にし、
前記複数のリレーのうちの、前記他端側リレー以外の複数の非他端側リレーは、その一端が対応する磁性素子に接続され、その常時開状態の第１リレースイッチが対応する発光素子に接続され、その常時開状態の第２リレースイッチが、該各非他端側リレーの、前記複数の発光素子の列の他端側隣に位置するリレーに接続され、接続している前記磁性素子が閉状態になったとき、励磁して、前記第１リレースイッチと前記第２リレースイッチとを閉状態にし、
前記磁性素子が磁石の作用を受けて作動したときに、前記複数の発光素子のうち、前記第１リレースイッチを介して電流が流れる発光素子が点灯し、
前記記憶スイッチの閉状態では、前記発光素子がすべて点灯し、前記記憶スイッチの開状態では、前記発光素子が磁性素子の開閉により点灯あるいは消灯する、
ことを特徴とする位置表示装置。
【手続補正２】
【補正対象書類名】特許請求の範囲
【補正対象項目名】請求項２
【補正方法】変更
【補正の内容】
【請求項２】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を消灯させる複数のリレーと、
一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、
前記複数の磁性素子は、常時開状態で、磁石の作用を受けて閉状態になる素子であり、常に、移動する磁石の最寄の磁性素子及び周辺の磁性素子のみが磁石の作用を受けて作動する間隔でそれぞれ配置され、
前記複数のリレーのうちの、該複数の発光素子の列の最も他端側に位置する他端側リレーは、その一端が対応する磁性素子に接続され、その常時閉状態の第１リレースイッチが対応する発光素子に接続され、接続している前記磁性素子が閉状態になったとき、励磁して、前記第１リレースイッチを開状態にし、
前記複数のリレーのうちの、前記他端側リレー以外の複数の非他端側リレーは、その一端が対応する磁性素子に接続され、その常時閉状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチを開状態に、前記第２リレースイッチを閉状態にし、
前記磁性素子が磁石の作用を受けて作動したときに、前記複数の発光素子のうち、前記第１リレースイッチにより電流が遮断される発光素子が消灯し、
前記記憶スイッチの閉状態では、前記発光素子がすべて消灯し、前記記憶スイッチの開状態では、前記発光素子が磁性素子の開閉により点灯あるいは消灯する、
ことを特徴とする位置表示装置。
【手続補正３】
【補正対象書類名】特許請求の範囲
【補正対象項目名】請求項３
【補正方法】変更
【補正の内容】
【請求項３】
線状に配列した複数の発光素子と、
前記複数の発光素子の各々に対応してそれぞれ配置され、磁石の作用を受けて開閉する、線状に配列した複数の磁性素子と、
前記複数の発光素子、さらに前記複数の磁性素子にそれぞれ対応して一列に配置され、対応する前記磁性素子の出力に接続し、対応する前記発光素子を点灯させる複数の演算回路と、
一列に配列した前記演算回路の列の一端に配置され、前記磁性素子の列の一方向から移動してきた磁石の作用を受けると、すべての演算回路が発光素子を点灯させる閉状態になり、前記方向とは逆方向から移動してきた磁石の作用を受けるまで、前記閉状態を保ち続ける記憶スイッチとを備え、
前記磁性素子は、常に、移動する磁石の最寄の磁性素子及び周辺の磁性素子のみが磁石の作用を受けて作動する間隔で配置され、磁石の作用を受けたときに、対応する前記演算回路に磁気検出信号を出力し、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、
前記発光素子は、前記点灯信号を入力したときに点灯し、
前記記憶スイッチの閉状態では、前記演算回路が全て点灯信号を出力し、前記記憶スイッチの開状態では、前記演算回路が磁性素子の開閉に応じて点灯信号を出力する、
ことを特徴とする位置表示装置。
【手続補正４】
【補正対象書類名】特許請求の範囲
【補正対象項目名】請求項４
【補正方法】変更
【補正の内容】
【請求項４】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、対応する前記磁性素子の出力に接続し、対応する前記発光素子を消灯させる複数の演算回路と、
一列に配列した前記演算回路の列の一端に配置され、前記磁性素子の列の一方向から移動してきた磁石の作用を受けると、すべての演算回路が発光素子を消灯させる開状態になり、前記方向とは逆方向から移動してきた磁石の作用を受けるまで、前記開状態を保ち続ける記憶スイッチとを備え、
前記磁性素子は、常に、移動する磁石の最寄の磁性素子及び周辺の磁性素子のみが磁石の作用を受けて作動する間隔で配置され、磁石の作用を受けたときに、対応する前記演算回路に磁気検出信号を出力し、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、
前記発光素子は、前記消灯信号を入力したときに消灯し、
前記記憶スイッチの開状態では、前記演算回路が全て消灯信号を出力し、前記記憶スイッチの閉状態では、前記演算回路が磁性素子の開閉に応じて消灯信号を出力する、
ことを特徴とする位置表示装置。
【手続補正５】
【補正対象書類名】明細書
【補正対象項目名】０００６
【補正方法】変更
【補正の内容】
【０００６】
本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を点灯させる複数のリレーと、一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、前記複数の磁性素子は、常時開状態で、磁石の作用を受けて閉状態になる素子であり、常に、移動する磁石の最寄の磁性素子及び周辺の磁性素子のみが磁石の作用を受けて作動する間隔でそれぞれ配置され、前記複数のリレーのうちの、該複数の発光素子の列の最も他端側に位置する他端側リレーは、その一端が対応する磁性素子に接続され、その常時開状態の第１リレースイッチが対応する発光素子に接続され、接続している前記磁性素子が閉状態になったとき、励磁して、前記第１リレースイッチを閉状態にし、前記複数のリレーのうちの、前記他端側リレー以外の複数の非他端側リレーは、その一端が対応する磁性素子に接続され、その常時開状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチと前記第２リレースイッチとを閉状態にし、前記磁性素子が磁石の作用を受けて作動したときに、前記複数の発光素子のうち、前記第１リレースイッチを介して電流が流れる発光素子が点灯し、前記記憶スイッチの閉状態では、前記発光素子がすべて点灯し、前記記憶スイッチの開状態では、前記発光素子が磁性素子の開閉により点灯あるいは消灯する、ことを特徴とする。これにより、前記磁性素子が作動したときに、前記リレーのスイッチを介して電流が流れる前記発光素子が点灯して、磁石の位置を表示することができる。
【手続補正６】
【補正対象書類名】明細書
【補正対象項目名】０００７
【補正方法】変更
【補正の内容】
【０００７】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を消灯させる複数のリレーと、一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、前記複数の磁性素子は、常時開状態で、磁石の作用を受けて閉状態になる素子であり、常に、移動する磁石の最寄の磁性素子及び周辺の磁性素子のみが磁石の作用を受けて作動する間隔でそれぞれ配置され、前記複数のリレーのうちの、該複数の発光素子の列の最も他端側に位置する他端側リレーは、その一端が対応する磁性素子に接続され、その常時閉状態の第１リレースイッチが対応する発光素子に接続され、接続している前記磁性素子が閉状態になったとき、励磁して、前記第１リレースイッチを開状態にし、前記複数のリレーのうちの、前記他端側リレー以外の複数の非他端側リレーは、その一端が対応する磁性素子に接続され、その常時閉状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチを開状態に、前記第２リレースイッチを閉状態にし、前記磁性素子が磁石の作用を受けて作動したときに、前記複数の発光素子のうち、前記第１リレースイッチにより電流が遮断される発光素子が消灯し、前記記憶スイッチの閉状態では、前記発光素子がすべて消灯し、前記記憶スイッチの開状態では、前記発光素子が磁性素子の開閉により点灯あるいは消灯する、ことを特徴とする。これにより、前記磁性素子が作動したときに、前記リレーのスイッチを介して電流が遮断される前記発光素子が消灯して、磁石の位置を表示することができる。
【手続補正７】
【補正対象書類名】明細書
【補正対象項目名】０００８
【補正方法】変更
【補正の内容】
【０００８】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子、さらに前記複数の磁性素子にそれぞれ対応して一列に配置され、対応する前記磁性素子の出力に接続し、対応する前記発光素子を点灯させる複数の演算回路と、一列に配列した前記演算回路の列の一端に配置され、前記磁性素子の列の一方向から移動してきた磁石の作用を受けると、すべての演算回路が発光素子を点灯させる閉状態になり、前記方向とは逆方向から移動してきた磁石の作用を受けるまで、前記閉状態を保ち続ける記憶スイッチとを備え、前記磁性素子は、常に、移動する磁石の最寄の磁性素子及び周辺の磁性素子のみが磁石の作用を受けて作動する間隔で配置され、磁石の作用を受けたときに、対応する前記演算回路に磁気検出信号を出力し、前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、前記発光素子は、前記点灯信号を入力したときに点灯し、前記記憶スイッチの閉状態では、前記演算回路が全て点灯信号を出力し、前記記憶スイッチの開状態では、前記演算回路が磁性素子の開閉に応じて点灯信号を出力する、ことを特徴とする。これにより、前記磁石の磁気を検出した位置から後段の表示回路の発光素子を演算回路によって点灯することができる。
【手続補正８】
【補正対象書類名】明細書
【補正対象項目名】０００９
【補正方法】変更
【補正の内容】
【０００９】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、対応する前記磁性素子の出力に接続し、対応する前記発光素子を消灯させる複数の演算回路と、一列に配列した前記演算回路の列の一端に配置され、前記磁性素子の列の一方向から移動してきた磁石の作用を受けると、すべての演算回路が発光素子を消灯させる開状態になり、前記方向とは逆方向から移動してきた磁石の作用を受けるまで、前記開状態を保ち続ける記憶スイッチとを備え、前記磁性素子は、常に、移動する磁石の最寄の磁性素子及び周辺の磁性素子のみが磁石の作用を受けて作動する間隔で配置され、磁石の作用を受けたときに、対応する前記演算回路に磁気検出信号を出力し、前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、前記発光素子は、前記消灯信号を入力したときに消灯し、前記記憶スイッチの開状態では、前記演算回路が全て消灯信号を出力し、前記記憶スイッチの閉状態では、前記演算回路が磁性素子の開閉に応じて消灯信号を出力する、ことを特徴とする。これにより、前記磁石の磁気を検出した位置から後段の表示回路の発光素子を演算回路によって消灯することができる。
【手続補正９】
【補正対象書類名】明細書
【補正対象項目名】００１２
【補正方法】変更
【補正の内容】
【００１２】
本発明の位置表示装置によれば、線状に配置された複数の発光素子と、前記発光素子に対応してそれぞれ配置され、磁石の作用を受けて開閉する、線状に配置された複数の磁性素子と、前記発光素子及び前記磁性素子に対応して一列に配置され、一端が対応する前記磁性素子に接続し、接続する前記磁性素子が磁石の作用を受けたときに励磁する複数のリレーと、一列に配列した前記リレーの列の一端に配置され、前記磁性素子の列の一方向から移動してきた磁石の作用を受けると、開状態又は閉状態になり、前記方向とは逆方向から移動してきた磁石の作用を受けるまで、前記状態を保つ続ける記憶スイッチとを備え、前記リレーにより、発光素子を点灯制御又は消灯制御するようにした。これにより、対象物に磁石を取り付けるだけで、所望の範囲を移動する対象物を、各リレーにかかる負荷が発光素子１個分で、検出、表示することができる。また、対象物の位置を検出する位置検出回路と、対象物の位置を表示する位置表示回路とを分けることができ、これらの回路の相対位置を自由に設定することができる。さらに、記憶スイッチを備えることで、磁性素子が作用する範囲から磁石Ｍｇが外れても、発光素子が誤って点灯することがないので、誤表示を防ぐことができる。
【手続補正書】
【提出日】平成18年2月14日(2006.2.14)
【手続補正１】
【補正対象書類名】特許請求の範囲
【補正対象項目名】請求項１
【補正方法】変更
【補正の内容】
【請求項１】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を点灯させる複数のリレーと、
一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、
前記複数の磁性素子は、常時開状態で、磁石の作用を受けて閉状態になる素子であり、
前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、
前記複数のリレーのうちの、該複数の発光素子の列の最も他端側に位置する他端側リレーは、その一端が対応する磁性素子に接続され、その常時開状態の第１リレースイッチが対応する発光素子に接続され、接続している前記磁性素子が閉状態になったとき、励磁して、前記第１のリレースイッチを閉状態にし、
前記複数のリレーのうちの、前記他端側リレー以外の複数の非他端側リレーは、その一端が対応する磁性素子に接続され、その常時開状態の第１リレースイッチが対応する発光素子に接続され、その常時開状態の第２リレースイッチが、該各非他端側リレーの、前記複数の発光素子の列の他端側隣に位置するリレーに接続され、接続している前記磁性素子が閉状態になったとき、励磁して、前記第１リレースイッチと前記第２リレースイッチとを閉状態にし、
前記磁性素子が磁石の作用を受けて作動したときに、前記複数の発光素子のうち、前記第１リレースイッチを介して電流が流れる発光素子が点灯し、
前記記憶スイッチの閉状態では、前記発光素子がすべて点灯し、前記記憶スイッチの開状態では、前記発光素子が磁性素子の開閉により点灯あるいは消灯する、
ことを特徴とする位置表示装置。
【手続補正２】
【補正対象書類名】特許請求の範囲
【補正対象項目名】請求項２
【補正方法】変更
【補正の内容】
【請求項２】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を消灯させる複数のリレーと、
一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、
前記複数の磁性素子は、常時開状態で、磁石の作用を受けて閉状態になる素子であり、
前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、
前記複数のリレーのうちの、該複数の発光素子の列の最も他端側に位置する他端側リレーは、その一端が対応する磁性素子に接続され、その常時閉状態の第１リレースイッチが対応する発光素子に接続され、接続している前記磁性素子が閉状態になったとき、励磁して、前記第１リレースイッチを開状態にし、
前記複数のリレーのうちの、前記他端側リレー以外の複数の非他端側リレーは、その一端が対応する磁性素子に接続され、その常時閉状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチを開状態に、前記第２リレースイッチを閉状態にし、
前記磁性素子が磁石の作用を受けて作動したときに、前記複数の発光素子のうち、前記第１リレースイッチにより電流が遮断される発光素子が消灯し、
前記記憶スイッチの閉状態では、前記発光素子がすべて消灯し、前記記憶スイッチの開状態では、前記発光素子が磁性素子の開閉により点灯あるいは消灯する、
ことを特徴とする位置表示装置。
【手続補正３】
【補正対象書類名】特許請求の範囲
【補正対象項目名】請求項３
【補正方法】変更
【補正の内容】
【請求項３】
線状に配列した複数の発光素子と、
前記複数の発光素子の各々に対応してそれぞれ配置され、磁石の作用を受けて開閉する、線状に配列した複数の磁性素子と、
前記複数の発光素子、さらに前記複数の磁性素子にそれぞれ対応して一列に配置され、対応する前記磁性素子の出力に接続し、対応する前記発光素子を点灯させる複数の演算回路と、
一列に配列した前記演算回路の列の一端に配置され、前記磁性素子の列の一方向から移動してきた磁石の作用を受けると、すべての演算回路が発光素子を点灯させる閉状態になり、前記方向とは逆方向から移動してきた磁石の作用を受けるまで、前記閉状態を保ち続ける記憶スイッチとを備え、
前記磁性素子は、磁石の作用を受けたときに、対応する前記演算回路に磁気検出信号を出力し、
前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、
前記発光素子は、前記点灯信号を入力したときに点灯し、
前記記憶スイッチの閉状態では、前記演算回路が全て点灯信号を出力し、前記記憶スイッチの開状態では、前記演算回路が磁性素子の開閉に応じて点灯信号を出力する、
ことを特徴とする位置表示装置。
【手続補正４】
【補正対象書類名】特許請求の範囲
【補正対象項目名】請求項４
【補正方法】変更
【補正の内容】
【請求項４】
線状に配列した複数の発光素子と、
前記複数の発光素子の各々に対応してそれぞれ配置され、磁石の作用を受けて開閉する、線状に配列した複数の磁性素子と、
前記複数の発光素子さらには前記複数の磁性素子にそれぞれ対応して一列に配置され、対応する前記磁性素子の出力に接続し、対応する前記発光素子を消灯させる複数の演算回路と、
一列に配列した前記演算回路の列の一端に配置され、前記磁性素子の列の一方向から移動してきた磁石の作用を受けると、すべての演算回路が発光素子を消灯させる開状態になり、前記方向とは逆方向から移動してきた磁石の作用を受けるまで、前記開状態を保ち続ける記憶スイッチとを備え、
前記磁性素子は、磁石の作用を受けたときに、対応する前記演算回路に磁気検出信号を出力し、
前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、
前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、
前記発光素子は、前記消灯信号を入力したときに消灯し、
前記記憶スイッチの開状態では、前記演算回路が全て消灯信号を出力し、前記記憶スイッチの閉状態では、前記演算回路が磁性素子の開閉に応じて消灯信号を出力する、
ことを特徴とする位置表示装置。
【手続補正５】
【補正対象書類名】明細書
【補正対象項目名】０００６
【補正方法】変更
【補正の内容】
【０００６】
本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を点灯させる複数のリレーと、一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、前記複数の磁性素子は、常時開状態で、磁石の作用を受けて閉状態になる素子であり、前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、前記複数のリレーのうちの、該複数の発光素子の列の最も他端側に位置する他端側リレーは、その一端が対応する磁性素子に接続され、その常時開状態の第１リレースイッチが対応する発光素子に接続され、接続している前記磁性素子が閉状態になったとき、励磁して、前記第１リレースイッチを閉状態にし、前記複数のリレーのうちの、前記他端側リレー以外の複数の非他端側リレーは、その一端が対応する磁性素子に接続され、その常時開状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチと前記第２リレースイッチとを閉状態にし、前記磁性素子が磁石の作用を受けて作動したときに、前記複数の発光素子のうち、前記第１リレースイッチを介して電流が流れる発光素子が点灯し、前記記憶スイッチの閉状態では、前記発光素子がすべて点灯し、前記記憶スイッチの開状態では、前記発光素子が磁性素子の開閉により点灯あるいは消灯する、ことを特徴とする。これにより、前記磁性素子が作動したときに、前記リレーのスイッチを介して電流が流れる前記発光素子が点灯して、磁石の位置を表示することができる。
【手続補正６】
【補正対象書類名】明細書
【補正対象項目名】０００７
【補正方法】変更
【補正の内容】
【０００７】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、一端が対応する前記磁性素子に接続し、前記磁性素子が磁石の作用を受けたときに励磁して、対応する前記発光素子を消灯させる複数のリレーと、一列に配列した前記リレーの列の一端に配置され、前記磁性素子の列の一方向から移動してきた磁石の作用を受けると、前記リレーをすべて励磁させる閉状態になり、前記方向とは逆方向から移動してきた磁石の作用を受けるまで、前記閉状態を保ち続ける記憶スイッチとを備え、前記複数の磁性素子は、常時開状態で、磁石の作用を受けて閉状態になる素子であり、前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、前記複数のリレーのうちの、該複数の発光素子の列の最も他端側に位置する他端側リレーは、その一端が対応する磁性素子に接続され、その常時閉状態の第１リレースイッチが対応する発光素子に接続され、接続している前記磁性素子が閉状態になったとき、励磁して、前記第１リレースイッチを開状態にし、前記複数のリレーのうちの、前記他端側リレー以外の複数の非他端側リレーは、その一端が対応する磁性素子に接続され、その常時閉状態の第１リレースイッチが対応する発光素子に接続され、その常時開状態の第２リレースイッチが該各非他端側リレーの、前記複数の発光素子の列の他端側隣に位置するリレーに接続され、接続している前記磁性素子が閉状態になったとき、励磁して、前記第１リレースイッチを開状態に、前記第２リレースイッチを閉状態にし、前記磁性素子が磁石の作用を受けて作動したときに、前記複数の発光素子のうち、前記第１リレースイッチにより電流が遮断される発光素子が消灯し、前記記憶スイッチの閉状態では、前記発光素子がすべて消灯し、前記記憶スイッチの開状態では、前記発光素子が磁性素子の開閉により点灯あるいは消灯する、ことを特徴とする。これにより、前記磁性素子が作動したときに、前記リレーのスイッチを介して電流が遮断される前記発光素子が消灯して、磁石の位置を表示することができる。
【手続補正７】
【補正対象書類名】明細書
【補正対象項目名】０００８
【補正方法】変更
【補正の内容】
【０００８】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子、さらに前記複数の磁性素子にそれぞれ対応して一列に配置され、対応する前記磁性素子の出力に接続し、対応する前記発光素子を点灯させる複数の演算回路と、一列に配列した前記演算回路の列の一端に配置され、前記磁性素子の列の一方向から移動してきた磁石の作用を受けると、すべての演算回路が発光素子を点灯させる閉状態になり、前記方向とは逆方向から移動してきた磁石の作用を受けるまで、前記閉状態を保ち続ける記憶スイッチとを備え、前記磁性素子は、磁石の作用を受けたときに、対応する前記演算回路に磁気検出信号を出力し、前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、点灯信号を前記発光素子に出力し、前記発光素子は、前記点灯信号を入力したときに点灯し、前記記憶スイッチの閉状態では、前記演算回路が全て点灯信号を出力し、前記記憶スイッチの開状態では、前記演算回路が磁性素子の開閉に応じて点灯信号を出力する、ことを特徴とする。これにより、前記磁石の磁気を検出した位置から後段の表示回路の発光素子を演算回路によって点灯することができる。
【手続補正８】
【補正対象書類名】明細書
【補正対象項目名】０００９
【補正方法】変更
【補正の内容】
【０００９】
また、本発明の位置表示装置は、線状に配列した複数の発光素子と、前記複数の発光素子の各々に対応してそれぞれ配置され、磁石の作用を受けて開閉する、線状に配列した複数の磁性素子と、前記複数の発光素子さらには前記複数の磁性素子にそれぞれ対応して一列に配置され、対応する前記磁性素子の出力に接続し、対応する前記発光素子を消灯させる複数の演算回路と、一列に配列した前記演算回路の列の一端に配置され、前記磁性素子の列の一方向から移動してきた磁石の作用を受けると、すべての演算回路が発光素子を消灯させる開状態になり、前記方向とは逆方向から移動してきた磁石の作用を受けるまで、前記開状態を保ち続ける記憶スイッチとを備え、前記磁性素子は、磁石の作用を受けたときに、対応する前記演算回路に磁気検出信号を出力し、前記磁石の磁力および前記各磁性素子の感度は、前記磁石と前記複数の各磁性素子との距離、および前記複数のうちの隣接する磁性素子間の間隔に基づいて、該磁石が前記磁性素子の列の両端の素子間に位置するとき、常に１つ以上の前記磁性素子が前記磁石の作用を受けて作動するように選定され、前記各演算回路は、対応する前記磁性素子の出力と前段の前記演算回路の出力とを入力とし、前記磁性素子から磁気検出信号を入力したとき、又は前記演算回路が磁気検出信号を入力したときに出力する磁気検出伝達信号を前段の演算回路から入力したとき、消灯信号を前記発光素子に出力し、前記発光素子は、前記消灯信号を入力したときに消灯し、前記記憶スイッチの開状態では、前記演算回路が全て消灯信号を出力し、前記記憶スイッチの閉状態では、前記演算回路が磁性素子の開閉に応じて消灯信号を出力する、ことを特徴とする。これにより、前記磁石の磁気を検出した位置から後段の表示回路の発光素子を演算回路によって消灯することができる。